(57)【要約】      （修正有）【課題】輸送コストが安価で、組み立てやすく、かつ、遠くから見たときの視認性に優れた立体広告媒体を提供する。【解決手段】立体広告媒体１は、本体１１とステム１２と造形部２０とを備える。本体は、上壁１１１、前壁１１２、後壁が少なくとも一続きの部材で設けられ、水平方向に延びる角筒形に形成される。ステムは、上壁の下面に沿って後壁から前壁を貫通して延びる筒形に形成される。造形部は、本体に対して相対的に揺動する揺動片を含み、前壁よりも前方へ突出したステムの先端に組み付けられる。【選択図】図１
0003157153.tif 000002
【実用新案登録請求の範囲】
【請求項１】
上壁、前壁、後壁が少なくとも一続きの部材で設けられて水平方向に延びる角筒に形成された本体と、
前記上壁の下面に沿って前記後壁から前記前壁を貫通して前方へ延びる筒形状のステムと、
前記本体に対して相対的に揺動する揺動片を含み、前記前壁よりも前方へ突出した前記ステムの先端に差込式の嵌合によって組み付けられる造形部と
を備え、すべてシート状の部材から構成されることを特徴とする立体広告媒体。
【請求項２】
前記前壁と前記後壁との下端の連続部に設けられた連結孔に取り外せるように差込片で連結された垂幕をさらに備えることを特徴とする請求項１に記載の立体広告媒体。
【請求項３】
前記揺動片は、前記前壁に対して垂直な方向および平行な方向の少なくとも一方へ揺動することを特徴とする請求項１に記載の立体広告媒体。
【請求項４】
前記ステムは、前記後壁から一続きの部材で構成されていることを特徴とする請求項１に記載の立体広告媒体。
【考案の詳細な説明】
【技術分野】
【０００１】
本考案は、壁や天井から吊下げられた本体よりも前方へ造形部が突出している立体広告媒体に関する。
【背景技術】
【０００２】
紐で吊下げられるタイプのポップ広告が、特許文献１に開示されている。このポップは、胴部の両端に凸レンズ形の背蓋及び前蓋を有している。背蓋と前蓋とが互いに重なるように内側へ折り倒されることによって胴部を膨らませる。胴部には切り込みによって作られた突出片が設けられているので、胴部が膨らむことによって、突出部が反り返って突出する。
【先行技術文献】
【特許文献】
【０００３】
【特許文献１】特開２０００−１３２１００号公報
【考案の概要】
【考案が解決しようとする課題】
【０００４】
しかしながら、このようなポップ広告であっても、突出部は平坦であり、胴部は円弧形に反るように膨らんでいるだけである。したがって、背蓋及び前蓋を正面に見るように、ポップ広告を真横から見た場合、これといってシルエットに特徴が見られなくなってしまうので、遠くから見逃されやすい。造形を派手にすれば、目立った広告になるであろう。しかし、造形が大きくなると、重量バランスが偏ってしまい、広告としての見栄えが悪くなることもある。そのため、造形の部分は、なるべく軽い材質のもの、例えば紙やバキューム成形された合成樹脂のシートで作られることが想定される。
【０００５】
このとき、強度の必要な部分に厚手の紙や合成樹脂の補強を使用することが考えられるが、複数種類を混在させて作ると、単価コストが高くなるため好ましくない。そして、合成樹脂のシートをバキューム成形したものは嵩高くなるため、輸送コストがかかり、廃棄する際にも面倒である。また、ポップ広告のような広告媒体は、店頭に飾るために、各店舗の従業員が組み立てることが多い。したがって、部品点数が多くて組立が難しいと、広告媒体が直ぐに飾られない。
【０００６】
本考案は、輸送コストが安価で、組み立てやすく、かつ、遠くから見たときの視認性に優れた立体広告媒体を提供する。
【課題を解決するための手段】
【０００７】
本考案の一形態の立体広告媒体は、本体とステムと造形部とを備え、すべてシート状の部材によって構成される。本体は、上壁、前壁、後壁が少なくとも一続きの部材で設けられ、水平方向に延びる角筒形に形成される。ステムは、上壁の下面に沿って後壁から前壁を貫通してへ延びる筒形に形成される。造形部は、本体に対して相対的に揺動する揺動片を含み、前壁よりも前方へ突出したステムの先端に差込式の嵌合によって組み付ける。
【０００８】
前壁と後壁との下端の連続部に、取り外せるように連結された垂幕をさらに備えてもよい。また、揺動片は、前壁に対して垂直な方向および平行な方向の少なくとも一方へ揺動する。また、ステムは、後壁から一続きの部材で構成されている。
【０００９】
各部材は、シート状であるので、印刷によって表裏面にデザインが施される。この立体広告媒体が壁に吊るされる場合、少なくとも本体の後壁は、正面から見えない。したがって、造形部は、この後壁を切り抜いて材料取りされていてもよい。
【考案の効果】
【００１０】
本発明の立体広告媒体によれば、本体トステムと造形部とがすべてシート状の部材で構成されているので、組立前の容積は各部材を重ね合わせた程度であり嵩張らない。したがって、輸送コストが安価に抑えられる。また、本体は、上壁と前壁と後壁によって少なくとも三角筒形に形成されるので、薄い紙製にしても曲げ強度の点で優れている。そして本体が一続きの部材で構成されているため、組立も簡単である。ステムは、後壁から前壁を貫通してさらに前方に延びる筒形に形成されているので、その先端に造形部が取り付けられた場合でも、垂れ下がることなくしっかりと支えることができる。造形部は、ステムの先端に差込式の嵌合によって組み付けられるので、接着材や工具などが不要であり、組立が簡単である。さらに、造形部は、前壁よりも前方に延びたステムの先端に組み付けられて揺動片を含んでいる。したがって、立体広告媒体は、正面以外の方向、例えば真横から見ても、前壁よりも突出した造形部を遠くからも確認できるとともに、揺動片が動くことによってさらに注目を受けやすい。
【００１１】
以上のように、本考案の立体広告媒体は、輸送コストが安価で、組み立てやすく、かつ、遠くから見たときの視認性に優れている。
【００１２】
また、前壁と後壁との下端の連続部に、取り外せるように連結された垂幕をさらに備える場合、より多くの広告情報を表示することができるだけでなく、取り付けられた垂幕の重量によって、本体から延びたステムの先端に取り付けられた造形部の姿勢を安定させることができる。揺動片が前壁に対して垂直な方向へ揺動する場合、造形部を横方向から見たときの視認性が向上する。また揺動片が前壁に対して平行な方向へ揺動する場合、造形部を正面から見たときの視認性が向上する。したがって、揺動片の動きを、前壁に対して垂直方向と平行な方向の両方向へ揺動するように設けると、より効果的に視認性を向上させることができる。
【００１３】
ステムを後壁から一続きの部材で構成した発明によれば、さらに組立が容易になるだけでなく、構造的な強度も確保される。また、各部材は、シート状であるので、紙製であってもプラスチックフィルム製であっても、印刷によって表裏面にデザインを施すことが容易である。この立体広告媒体が壁に吊るされる場合、少なくとも本体の後壁は、正面から見えない。したがって、造形部は、この後壁を切り抜いて材料取りされていてもよい。造形部の材料を後壁から取ることによって、材料を有効に活用できる。
【図面の簡単な説明】
【００１４】
【図１】本考案の第１の実施形態の立体広告媒体を示す斜視図。
【図２】図１に示した本体の分解斜視図。
【図３】図２に示した本体の差込片をそれぞれ本体の差込孔に結合させる様子を示す平面図であり、（ａ）は差込片のタブを折畳む途中の平面図、（ｂ）はタブが折りたたまれた差込片を差込孔に挿入する直前の平面図、（ｃ）は差込孔に差込片を挿入したあとタブを開いた状態の平面図。
【図４】図１に示した本体と垂幕の分解斜視図。
【図５】図１に示した造形部の分解斜視図。
【図６】図１に示した造形部と本体のステムとを示す分解斜視図。
【図７】図１に示した立体広告媒体の鉛直方向の断面図。
【図８】本考案の第２の実施形態の立体広告媒体の鉛直方向の断面図。
【考案を実施するための形態】
【００１５】
本考案の第１の実施形態の立体広告媒体１は、図１から図７を参照して説明する。この立体広告媒体１は、広告の対象となる製品の近傍の壁Wに設けられたフック１０１などに付属の紐５０で吊るされる。フック１０１の代わりに壁Wに直接貼り付けたり、磁石や画鋲で固定してもよい。立体広告媒体１は、本体１１とステム１２と造形部２０と垂幕３０とを備え、すべて同種のシート状の部材から作られている。なお本実施形態において、各部材は、いわゆる「ケント紙」など、表裏面に図柄や広告文字の印刷を施しやすい厚紙が採用されている。
【００１６】
本明細書中において、説明の都合上、この立体広告媒体１が吊下げられた姿勢で、重力の作用する方向を「下」、重力と反対方向を「上」、造形部２０を正面に見て「右」及び「左」、造形部がある側を「前」、壁に面した側を「後」、各部材の外側に面している面を「おもて」各部材の折り返されて見えにくくなる面を「裏」と呼ぶことにする。
【００１７】
本体１１は、図１示すように、上壁１１１と前壁１１２と後壁１１３とが一続きの部材で構成されており、水平方向に延びる三角筒に形成されている。図２に示すように、上壁１１１は、前壁１１２の上縁に連続している。前壁１１２は、ステム１２を通す開口部１１２ａを有している。前壁１１２と後壁１１３とは、下縁において連続している。この本体１１は、図２に示すように、さらにステム１２と裏当部１１４と被せ部１１５とが一続きに同じ一枚の部材から構成されている。
【００１８】
ステム１２は、図２に示すように、後壁１１３の上縁の中央部から後壁１１３と一続きに形成されている。ステム１２は、図４および図７に示すように、上壁１１１の下面に沿って前壁１１２の開口部１１２ａを貫通して前方に延びる筒形状に形成されている。このステム１２は、上板１２１と右側板１２２と左側板１２３との３つの壁が折り曲げられて逆三角形の筒形状に形成されている。右側板１２２及び左側板１２３は、上板１２１の左右にそれぞれ連続して形成されている。
【００１９】
裏当部１１４は、図２に示すように後壁１１３の上縁のステム１２の両隣から一続きにそれぞれ延びており、上壁１１１の裏側に重なるように折り曲げられる。本体１１の両端寄りの上壁１１１と裏当部１１４とが重ね合わされた部分に、上壁１１１および裏当部１１４をそれぞれ貫通する通し孔１１１ａ，１１４ａが設けられている。図１及び図４に示すように、通し孔１１１ａ，１１４ａには、紐５０が通される。
【００２０】
被せ部１１５は、図７にも示すように、上壁１１１から後壁１１３の外側に回り込むように延びている。被せ部１１５は、上壁１１１につながっている側と反対の縁に、差込片１１６が３つ設けられている。この差込片１１６は、図２に示すように後壁１１３に設けられた差込孔１１３ａに外側から差し込まれる。
【００２１】
差込片１１６は、図３（ａ）に示すように、差込孔１１３ａに通せる大きさにタブ１１６ａが折りたたまれ、図３（ｂ）に示すように、タブ１１６ａが折りたたまれたの状態で差込孔１１３ａに通される。差し込まれた差込片１１６が抜けないようにするために、タブ１１６ａは、図３（ｃ）に示すように、差込孔１１３ａの向こう側で開かれる。
【００２２】
この連結構造は、本実施形態において設けられる差込片１１６のすべてに適用されている。図４に示すように、垂幕３０の上縁に設けられた差込片１１６は、図３（ａ），（ｂ），（ｃ）に示した同様の手順に従って、本体１１の前壁１１２と後壁１１３の下縁に設けられる連結孔１１２ｂに差し込まれる。なお、垂幕３０は、造形部２０の取付作業の邪魔にならないように、造形部２０が取り付けられた後、最後に連結される。この連結構造は、接着材を使用しないので、組み立てることも、解体することも容易に行える。
【００２３】
造形部２０は、図１に示すように本実施形態の場合、恐竜の頭骨の化石を模して作られており、頭蓋部２１と顎部２２とで構成されている。顎部２２は、本体１１に対して相対的に揺動する揺動片である。図５に示すように、頭蓋部２１は、正面から見た場合に右側に位置する右頭壁２１１と、左側に位置する左頭壁２１２と、これらに各々連続して設けられている後頭壁２１３，２１４とを備える。
【００２４】
右頭壁２１１と左頭壁２１２は、本体に対して最も突出した位置、いわゆる「鼻先」の位置で一続きに連続している。後頭壁２１３は、中央部に取付孔２１３ａを、右頭壁２１１寄りの下端に右側フック２１５を有している。後頭壁２１４は、中央部に取付孔２１４ａを、左頭壁２１２寄りの下端に左側フック２１６を有している。後頭壁２１３，２１４は、取付孔２１３ａ，２１４ａが一致するように互いに重ねあわされ、図６及び図７に示すように、ステム１２の先端に設けられた差込片１１６と連結される。
【００２５】
顎部２２は、図６に示すように、顎関節に相当する位置に、懸垂孔２２１を有している。懸垂孔２２１は、右側フック２１５および左側フック２１６にそれぞれ連結される。右側フック２１５及び左側フック２１６と懸垂孔２２１とは、各部材の厚みのみで接触しているので、手で触れたり風が当ったりすると、顎部２２は、実線と二点鎖線とで示す間を図７に矢印で示すように、本体１１の前壁１１２に対して垂直な方向へゆらゆらと揺動する。
【００２６】
以上のように組み立てられた立体広告媒体１は、図４に示したように、右側の通し孔１１１ａ，１１４ａと、本体１１の内側にあるステム１２の右側板１２２に開けられた挿通穴１２２ａ及び左側板１２３に開けられた挿通穴１２３ａと、左側の通し孔１１１ａ，１１４ａとに、紐５０が通される。また、垂幕３０が図４に示したように装着される。垂幕３０は、従来ポスターとして掲示されたような内容の情報が印刷されている。なお、垂幕３０は、上端部から数センチのみとし、そこに、様々なポスターを貼り付けてもよい。
【００２７】
造形部２０は、垂幕３０に掲示された情報と関連したものに作られていることはいうまでもない。そこで、垂幕３０に掲示される情報と関連したものの中から最も印象的なものを造形部２０として選択し、立体化して取り付ける。その際多少のデフォルメが施されるのは当然である。造形部２０は、本体１１の前壁１１２よりもステム１２によって前方へ突出している。したがって、図７に示すように、真横から見た場合でも、視認性に優れており、この立体広告媒体１から離れた位置にいる購買者の注目を得ることができる。
【００２８】
また、この立体広告媒体１は、顎部２２が揺動片として動くので、より多くの注目を集めることができる。さらに、造形部２０も含めて同じ紙でできているので、全体的な重量も軽い。したがって、設置するために壁Ｗを補強したり、専用のスタンド用意したりする必要がない。この立体広告媒体１は、紙で作られているので、印刷も容易であるし、予め折り目に合わせて数箇所折りたためば、展示される店舗に輸送する際の嵩が小さくなる。そして、広告としての役目を終えた後で廃却する場合にも、一般可燃ごみとして捨てることができる。
【００２９】
本考案に係る第２の実施形態の立体広告媒体１は、図８を参照して説明する。第１の実施形態の立体広告媒体１と同じ機能を有する構成は、図中に同一の符号を付してその説明を省略する。第２の実施形態の立体広告媒体１は、造形部２０の構成が第１の実施形態の場合と異なっている。この立体広告媒体１の造形部２０は、図８に示すように前壁１１２に沿って平行に左右へ揺動する揺動片２２ａを備える。この揺動片２２ａは、前壁１１２を貫通して前方へ延びたステム１２の先端部に装着されている。
【００３０】
揺動片２２ａは、ステム１２の上板１２１に対して、いわゆる「ヤジロベエ」のように点支持によって吊下げられたように組みつけられている。したがって、この立体広告媒体１の揺動片２２ａは、左右に揺動するだけでなく、ステム１２との隙間の具合によって、前後にも揺動する。揺動片２２ａは、垂幕３０に掲載される情報に関連したもの、例えば、キャラクターなどの顔を模して作られる。そして、本体１１の前壁１１２に胴体部分を印刷しておいてもよい。
【００３１】
また、本実施形態において、本体１１は、上壁１１１の一部が裏当部１１４に設けられた切込み１１４ｂに差し込まれて構成されている。このように、立体広告媒体１は、本体１１が上壁１１１、前壁１１２、後壁１１３の少なくとも３つの壁で形成されて水平に延びる三角筒に形成され、ステム１２が後壁１１３から前壁１１２を貫通して前方に延びており、その先端に造形部２０が装着されている。そして、その造形部２０に揺動片２２ａを有している。したがって、この立体広告媒体１から離れた位置にいる購買者に対する視認性が向上する。
【００３２】
上記以外の構成及び効果は、第１の実施形態と同じであるので、第１の実施形態の対応する記載及び図面を参酌するものとして、ここでの記載を省略する。
【００３３】
第２の実施形態に示した揺動片のように前壁１１２に対して平行な左右に揺動するを第１の実施形態のステム１２あるいは造形部２０の一部に装着してもよい。また、第１の実施形態の顎部２２のように前壁１１２に対して前後に揺動する揺動片を第２の実施形態の造形部２０の一部にあるいはステム１２に直接取り付けてもよい。
【産業上の利用可能性】
【００３４】
本考案の立体広告媒体は、店頭や店内の壁につるされる広告媒体として利用される以外に、大きさを変えれば、造形部にキャラクターなどをあしらったキャラクター付のカレンダーのヘッダや、卓上メモ用紙のヘッダとして活用することもできる。
【符号の説明】
【００３５】
１…立体広告媒体、１１…本体、１２…ステム、２０…造形部、２２…顎部（揺動片）、２２ａ…揺動片、３０…垂幕、１１１…上壁、１１２…前壁、１１２ａ…連結孔、１１３…後壁、１１６…差込片。
【図１】
0003157153.tif 000003
【図２】
0003157153.tif 000004
【図３】
0003157153.tif 000005
【図４】
0003157153.tif 000006
【図５】
0003157153.tif 000007
【図６】
0003157153.tif 000008
【図７】
0003157153.tif 000009
【図８】
0003157153.tif 000010